(57)【要約】【課題】データ信号とパイロット信号とを含むブロックからパイロット信号を取り出す。【解決手段】本発明の一態様としての送信装置は、データ信号を含むデータ部を生成するデータ部生成手段と、パイロット信号を含むパイロット部を記憶する記憶手段と、前記パイロット信号を含むパイロット部の一端に、前記パイロット部の他端を含む一部波形と同じ波形を付加した第１の区間と、第１の区間の一端と時間的に連続して配置されたデータ信号を含むデータ部と、を有する第２の区間の一端に、前記第２の区間の他端を含む一部波形と同じ波形を付加した第３の区間を含む信号を生成する信号生成手段と、前記信号生成手段が生成した信号を送信する送信手段とを備える。【選択図】図３
2008245064.tif 000002
【特許請求の範囲】
【請求項１】
パイロット信号を含むパイロット部の一端に、前記パイロット部の他端を含む一部波形と同じ波形を付加した第１の区間と、
第１の区間の一端と時間的に連続して配置されたデータ信号を含むデータ部と、
を有する第２の区間の一端に、前記第２の区間の他端を含む一部波形と同じ波形を付加した第３の区間を含む送信信号を受信する受信手段と、
前記第３の区間に対し、前記第２の区間と同じ長さの区間でフーリエ変換処理して複数の周波数成分の信号を得る第１のフーリエ変換部と、
前記複数の周波数成分の信号を逆フーリエ変換処理して第１の逆フーリエ変換信号を得る第１の逆フーリエ変換部と、
前記第１の逆フーリエ変換信号において前記第１の区間に対応する信号から前記パイロット部の長さの区間の信号をパイロット信号として取り出すパイロット信号取り出し部と、
前記パイロット信号取り出し部で取り出した信号に対し、前記パイロット部の区間と同じ長さの区間でフーリエ変換処理して複数の周波数成分の信号を得る第２のフーリエ変換部と、
前記第２のフーリエ変換部の出力に基づいて前記受信手段で受信した信号を補正する手段と、
を備えた受信装置。
【請求項２】
前記第３の区間は、
前記パイロット部の後端からの一部の波形と同じ波形が前記パイロット部の先端に付加され、
前記一部の波形と同じ波形の先端に第１のデータ部が付加され、
前記パイロット部の後端に第２のデータ部が付加され、
前記第１のデータ部と前記一部の波形と同じ波形と前記パイロット部と前記第２のデータ部とを含む前記第２の区間の後端からの一部の波形と同じ波形が前記第２の区間の先端に付加されたものであることを特徴とする請求項１に記載の受信装置。
【請求項３】
前記第３の区間は、
前記パイロット部の後端からの一部の波形と同じ波形が前記パイロット部の先端に付加され、
前記一部の波形と同じ波形の先端に前記データ部が配置され、
前記データ部と前記一部の波形と同じ波形と前記パイロット部とを含む前記第２の区間の後端からの一部の波形と同じ波形が前記第２の区間の先端に付加されたものであることを特徴とする請求項１に記載の受信装置。
【請求項４】
前記第３の区間は、
前記パイロット部の先端からの一部の波形と同じ波形が前記パイロット部の後端に付加され、
前記一部の波形と同じ波形の後端に前記データ部が付加され、
前記パイロット部と前記一部の波形と同じ波形と前記データ部とを含む前記第２の区間の先端からの一部の波形と同じ波形が前記第２の区間の後端に付加されたものであることを特徴とする請求項１に記載の受信装置。
【請求項５】
前記パイロット部の一部の波形と同じ波形と、前記第２の区間の一部の波形と同じ波形とは同じ長さをもつことを特徴とする請求項１〜４のいずれか一項に記載の受信装置。
【請求項６】
前記パイロット部の長さは、前記パイロット部と前記パイロット部の一部の波形と同じ波形と前記データ部との合計長に対し、１／２ｎ（ｎは１以上の整数）倍であることを特徴とする請求項１〜５のいずれか一項に記載の受信装置。
【請求項７】
前記受信装置は、周波数成分補完部と、周波数数領域等化部と、を備え、
前記第１のフーリエ変換部は、前記受信手段が受信した前記送信信号に対してａ（ａは２のｎ乗、ｎは２以上の整数）ポイントＦＦＴ処理を行うことにより周波数成分の信号を取得し、
前記第２のフーリエ変換部は、前記パイロット信号取り出し部が取り出した前記パイロット信号に対しｂ（ｂは２のｍ乗、ｍはｎ＞ｍを満たす１以上の整数）ポイントＦＦＴ処理を行うことによりｂポイントの周波数成分の信号を取得し、
前記周波数成分補完部は、前記ｂポイントの各ポイント間の周波数成分を補完することによりａ（ａは２のｎ乗、ｎはｍ＜ｎを満たす２以上の整数）ポイントの周波数成分の信号を取得し、
前記周波数領域等化部は、前記周波数成分補完部が取得した前記ａポイントの周波数成分の信号から各周波数成分の伝送路応答を推定し、推定した各周波数成分の伝送路応答を用いて、前記第１のフーリエ変換部により取得された周波数成分の周波数領域等化を行い、
前記第１の逆フーリエ変換部は、前記周波数領域等化部によって周波数領域等化された周波数成分の信号をＩＦＦＴ処理することを特徴とする請求項１〜６に記載の受信装置。
【請求項８】
前記パイロット部の一部の波形と同じ波形と、前記第２の区間の一部の波形と同じ波形とは同じ長さをもつことを特徴とする請求項１〜７のいずれか一項に記載の送信装置。
【請求項９】
前記パイロット部の長さは、前記パイロット部と前記パイロット部の一部の波形と同じ波形と前記データ部との合計長に対し、１／２ｎ（ｎは１以上の整数）倍であることを特徴とする請求項１〜８のいずれか一項に記載の受信装置。
【請求項１０】
データ信号を含むデータ部を生成するデータ部生成手段と、
パイロット信号を含むパイロット部を記憶する記憶手段と、
前記パイロット信号を含むパイロット部の一端に、前記パイロット部の他端を含む一部波形と同じ波形を付加した第１の区間と、
第１の区間の一端と時間的に連続して配置されたデータ信号を含むデータ部と、
を有する第２の区間の一端に、前記第２の区間の他端を含む一部波形と同じ波形を付加した第３の区間を含む信号を生成する信号生成手段と、
前記信号生成手段が生成した信号を送信する送信手段と、
を備えた送信装置。
【請求項１１】
前記信号生成手段は、
前記パイロット部の先端に前記パイロット部の後端からの一部の波形と同じ波形を付加し、
前記一部の波形と同じ波形の先端に前記データ部を付加し、
前記データ部と前記一部の波形と同じ波形と前記パイロット部とを含む前記第２の区間の後端からの一部の波形と同じ波形を前記第２の区間の先端に付加する、
ことにより前記第３の区間を含む信号を生成することを特徴とする請求項１０に記載の送信装置。
【請求項１２】
前記記憶手段は、前記パイロット部の先端に前記パイロット部の後端からの一部の波形と同じ波形を記憶しており、
前記信号生成手段は、前記記憶手段に記憶された波形を前記データ部または前記第２の区間の先端に付加することを特徴とする請求項１０に記載の送信装置。
【請求項１３】
送信装置が送信する信号を受信装置が受信する移動通信システムであって、
前記送信装置は、
データ信号を含むデータ部を生成するデータ部生成手段と、
パイロット信号を含むパイロット部を記憶する記憶手段と、
前記パイロット信号を含むパイロット部の一端に、前記パイロット部の他端を含む一部波形と同じ波形を付加した第１の区間と、
第１の区間の一端と時間的に連続して配置されたデータ信号を含むデータ部と、
を有する第２の区間の一端に、前記第２の区間の他端を含む一部波形と同じ波形を付加した第３の区間を含む信号を生成する信号生成手段と、
前記信号生成手段が生成した信号を送信する送信手段と、
を備え、
前記受信装置は、
前記送信手段が送信する信号を受信する受信手段と、
前記受信手段が受信した信号の前記第３の区間に対し、前記第２の区間と同じ長さの区間でフーリエ変換処理して複数の周波数成分の信号を得る第１のフーリエ変換部と、
前記複数の周波数成分の信号を逆フーリエ変換処理して第１の逆フーリエ変換信号を得る第１の逆フーリエ変換部と、
前記第１の逆フーリエ変換信号において前記第１の区間に対応する信号から前記パイロット部の長さの区間の信号をパイロット信号として取り出すパイロット信号取り出し部と、
前記パイロット信号取り出し部で取り出した信号に対し、前記パイロット部の区間と同じ長さの区間でフーリエ変換処理して複数の周波数成分の信号を得る第２のフーリエ変換部と、
前記第２のフーリエ変換部の出力に基づいて前記受信手段で受信した信号を補正する手段と、
を備えた移動通信システム。
【請求項１４】
データ部生成手段によりデータ信号を含むデータ部を生成する第１の生成ステップと、
パイロット信号を含むパイロット部の一端に、前記パイロット部の他端を含む一部波形と同じ波形を付加した第１の区間と、
第１の区間の一端と時間的に連続して配置されたデータ信号を含むデータ部と、
を有する第２の区間の一端に、前記第２の区間の他端を含む一部波形と同じ波形を付加した第３の区間を含む信号を生成する第２の生成ステップと、
前記第２の生成ステップにより生成された信号を送信する送信ステップと、
を備えた通信方法。
【発明の詳細な説明】
【技術分野】
【０００１】
本発明は、たとえばサイクリックプレフィックスを用いたシングルキャリア通信を行う受信装置、送信装置および通信方法に関する。
【背景技術】
【０００２】
一般に、陸上移動通信の伝送路はマルチパスから構成されている。このため、ある程度広い周波数帯域を有する無線信号は周波数帯域内で周波数に応じて伝達特性が変化する。この現象は伝送路がある種のフィルタのような振る舞いをしていることに相当し、その結果送信信号は周波数選択性フェージングを受ける。周波数選択性フェージングに起因する符号間干渉により、受信側では受信特性が劣化してしまう。
【０００３】
周波数選択性フェージングに強い通信方式として、OFDM(Orthogonal Frequency Division Multiplexing：直交周波数分割多重)方式がある。OFDM方式はマルチキャリア伝送方式の一種で、各サブキャリア間が直交するようにサブキャリア配置されている通信方式である。すなわち、OFDM方式は全帯域を狭帯域のサブキャリアに分割し並列に信号を伝送する方式であるため、同じ帯域幅を用いたシングルキャリア通信方式よりもシンボル時間が長くなる。従って、シンボル時間を伝送路のインパルス応答より十分長くすることができ、周波数選択性フェージングの影響を軽減することができる(非特許文献１参照。)。また、周波数選択性フェージングの影響をさらに軽減するために、OFDMの各送信シンボルにGI(Guard Interval)が挿入される。GIはOFDMシンボルの後半部分の波形をそのOFDMシンボルの先頭に付加したものである。伝送路の遅延広がりがこのGI長より短ければ、受信側の処理において符号間干渉などによる受信特性の劣化を軽減することができる。
【０００４】
しかし、OFDM方式は、周波数領域で信号を生成するため、シングルキャリア通信方式と比べて平均信号電力に対するピーク電力の比、すなわちPAPR(Peak to Average Power Ratio)が高く、そのため電力増幅器の非線形特性により電力効率が劣化するという欠点を有している。
【０００５】
この欠点を克服する技術として、シングルキャリア通信方式の一種であるサイクリックプレフィックス付きシングルキャリア (SC-CP ：Single Carrier with Cyclic Prefix)方式が提案されている。このSC-CP方式では、送信側が送信信号をブロック単位に時分割し、サイクリックプレフィックス(CP ：Cyclic Prefix)を各ブロックの先端に付加してから送信する。これにより、マルチパスなどの影響によって遅延波が発生しても、伝送路の遅延広がりがこのCP長より短ければ、受信側の処理において符号間干渉などによる受信特性の劣化を軽減することができる。一般にCPは、各ブロックの後端の信号系列と同じ信号系列である。
【０００６】
SC-CP方式は時間領域で信号を生成するため、OFDM方式と比べてPAPRが低いというメリットがある。このSC-CP方式は、非特許文献１に示すようによく知られた方式である。
【非特許文献１】“Frequency domain equalization for single-carrier broadband wireless systems,” Falconer, D., et.al., Communications Magazine, IEEE Volume 40, Issue 4, April 2002 Page(s):58-66.
【発明の開示】
【発明が解決しようとする課題】
【０００７】
送信信号には、大きく分けてパイロット信号とデータ信号が含まれている。パイロット信号とは、受信側が送信信号を復調する際に基準とする信号であり、受信側での伝送路補償に必要な信号でもある。データ信号とは、パイロット信号を除く送信信号を意味する。
【０００８】
これまでのSC-CP方式では、ブロック単位でパイロット信号またはデータ信号を送信しており、1つのブロック内にパイロット信号とデータ信号とを多重させたものはなかった。これは、従来のSC-CP方式では、１つのブロック内にパイロット信号とデータ信号とを単に時間領域で多重させても、受信側においてブロック単位で受信し周波数領域に変換したときにパイロット信号のみを取り出すことができず、伝送路補償および周波数等化ができないためである。
【０００９】
しかしながら、１つのブロック内にパイロット信号とデータ信号とを多重させればより高い伝送効率を得ることができる場合がある。例えば、受信側でSNR(Signal to Noise Ratio)が十分高く、伝送路の変動が激しい場合である。伝送路の変動が激しい場合は、パイロット信号の送信間隔を十分短くする必要があるが、SNRが十分高いのでパイロット信号密度は低くても復調可能である。このような場合は、1つのブロック内にパイロット信号だけを送信するのではなく、パイロット信号の時間を短くし、パイロット信号とデータ信号を多重させることで、より高い伝送効率を得ることができる。このため、パイロット信号とデータ信号とが多重する多重ブロックからパイロット信号を取り出せるようにすることが高い伝送効率の観点から望まれる。
【００１０】
またこれまでのSC-CP方式において、基地局が複数の端末からの送信信号を一括受信し、一括受信した信号を高速フーリエ変換 (FFT：Fast Fourier Transform)により端末ごとの信号に分離するものがある。この場合、複数の端末間でサイクリックプレフィックス長（CP長）およびブロック長などスロットフォーマットを共通にする必要がある。パイロット信号とデータ信号とが多重する多重ブロックからパイロット信号を取り出せるようにする場合、端末ごとに独立して多重ブロックを使用できることが望ましい。
【００１１】
本発明は、パイロット信号とデータ信号とが多重するブロックからパイロット信号を取り出せるようにした受信装置、送信装置および通信方法を提供する。
【課題を解決するための手段】
【００１２】
本発明の一態様としての受信装置は、
パイロット信号を含むパイロット部の一端に、前記パイロット部の他端を含む一部波形と同じ波形を付加した第１の区間と、
第１の区間の一端と時間的に連続して配置されたデータ信号を含むデータ部と、
を有する第２の区間の一端に、前記第２の区間の他端を含む一部波形と同じ波形を付加した第３の区間を含む送信信号を受信する受信手段と、
前記第３の区間に対し、前記第２の区間と同じの長さの区間でフーリエ変換処理して複数の周波数成分の信号を得る第１のフーリエ変換部と、
前記複数の周波数成分の信号を逆フーリエ変換処理して第１の逆フーリエ変換信号を得る第１の逆フーリエ変換部と、
前記第１の逆フーリエ変換信号において前記第１の区間に対応する信号から前記パイロット部の長さの区間の信号をパイロット信号として取り出すパイロット信号取り出し部と、
前記パイロット信号取り出し部で取り出した信号に対し、前記パイロット部の区間と同じ長さの区間でフーリエ変換処理して複数の周波数成分の信号を得る第２のフーリエ変換部と、
第２のフーリエ変換部の出力に基づいて前記受信手段で受信した信号を補正する手段と、
を備える。
【００１３】
本発明の一態様としての送信装置は、
データ信号を含むデータ部を生成するデータ部生成手段と、
パイロット信号を含むパイロット部を記憶する記憶手段と、
前記パイロット信号を含むパイロット部の一端に、前記パイロット部の他端を含む一部波形と同じ波形を付加した第１の区間と、
第１の区間の一端と時間的に連続して配置されたデータ信号を含むデータ部と、
を有する第２の区間の一端に、前記第２の区間の他端を含む一部波形と同じ波形を付加した第３の区間を含む信号を生成する信号生成手段と、
前記信号生成手段が生成した信号を送信する送信手段と、
を備える。
【００１４】
本発明の一態様としての移動通信システムは、
送信装置が送信する信号を受信装置が受信する移動通信システムであって、
前記送信装置は、
データ信号を含むデータ部を生成するデータ部生成手段と、
パイロット信号を含むパイロット部を記憶する記憶手段と、
前記パイロット信号を含むパイロット部の一端に、前記パイロット部の他端を含む一部波形と同じ波形を付加した第１の区間と、
第１の区間の一端と時間的に連続して配置されたデータ信号を含むデータ部と、
を有する第２の区間の一端に、前記第２の区間の他端を含む一部波形と同じ波形を付加した第３の区間を含む信号を生成する信号生成手段と、
前記信号生成手段が生成した信号を送信する送信手段と、
を備え、
前記受信装置は、
前記送信手段が送信する信号を受信する受信手段と、
前記受信手段が受信した信号の前記第３の区間に対し、前記第２の区間と同じ長さの区間でフーリエ変換処理して複数の周波数成分の信号を得る第１のフーリエ変換部と、
前記複数の周波数成分の信号を逆フーリエ変換処理して第１の逆フーリエ変換信号を得る第１の逆フーリエ変換部と、
前記第１の逆フーリエ変換信号において前記第１の区間に対応する信号から前記パイロット部の長さの区間の信号をパイロット信号として取り出すパイロット信号取り出し部と、
前記パイロット信号取り出し部で取り出した信号に対し、前記パイロット部の区間と同じ長さの区間でフーリエ変換処理して複数の周波数成分の信号を得る第２のフーリエ変換部と、
前記第２のフーリエ変換部の出力に基づいて前記受信手段で受信した信号を補正する手段と、
を備える。
【００１５】
本発明の一態様としての通信方法は、
データ部生成手段によりデータ信号を含むデータ部を生成する第１の生成ステップと、
パイロット信号を含むパイロット部の一端に、前記パイロット部の他端を含む一部波形と同じ波形を付加した第１の区間と、
第１の区間の一端と時間的に連続して配置されたデータ信号を含むデータ部と、
を有する第２の区間の一端に、前記第２の区間の他端を含む一部波形と同じ波形を付加した第３の区間を含む信号を生成する第２の生成ステップと、
前記第２の生成ステップにより生成された信号を送信する送信ステップと、
を備えた通信方法。
【発明の効果】
【００１６】
本発明により、パイロット信号とデータ信号とが多重するブロックからパイロット信号を取り出すことができる。
【発明を実施するための最良の形態】
【００１７】
以下、図面を参照しながら本実施の形態について詳細に説明する。
【００１８】
（第１の実施形態）
図１は、本発明の実施形態に係る移動体通信システムの構成例を示す図である。
【００１９】
本実施形態に係る移動体通信システムは、基地局ＣＳ１と、基地局ＣＳ１と通信を行う複数の端末ＰＳ１，ＰＳ２，・・・とを備える。複数の端末ＰＳ１，ＰＳ２，・・・は、それぞれ異なる周波数ｆ１、ｆ２、・・で同時に送信し、基地局ＣＳ１はそれらの送信信号を一括受信する。図１には端末数が２つの場合が示されるが、端末数は１または3以上であってもよい。
【００２０】
図２は、基地局ＣＳ１が一括受信する信号のフレーム構成およびブロック構成を、横軸を時間、縦軸を周波数として表した図である。
【００２１】
１つのフレームは時間的に連続する複数のブロックから構成されている。図２の例では１つのフレームは６つのブロックから構成される。
【００２２】
ブロックは２種類存在し、１つはデータブロック、もう１つは、データ／パイロット多重ブロックである。データブロックは、周波数領域等化ＣＰ（Cyclic Prefix：サイクリックプレフィックス）部と、データ部とから構成される。データ部は、既知信号以外の情報ビットを伝送する信号（データ信号）が存在する部分を示す。周波数領域等化ＣＰ部は、ブロック単位でFFT処理を行うときにマルチパスによる影響を軽減するためのサイクリックプレフィックスである。周波数領域等化ＣＰ部は、データブロックの後端の一部（末尾の１つもしくは複数のシンボルデータ）と同じ波形を指す。
【００２３】
図３を用いて、データ／パイロット多重ブロックの構成を詳細に説明する。
【００２４】
図３に示すデータ／パイロット多重ブロックは、パイロット部と、パイロット先端に連続するパイロットCP部と、パイロットCP部の先端に連続するデータ部と、データ部の前端に連続する周波数領域等化ＣＰ部とから構成される。
【００２５】
パイロットＣＰ部は、パイロット部の後端の一部（末尾の１つもしくは複数のシンボルデータ）の波形と同じ波形（第１コピー）である。データ／パイロット多重ブロックの場合、周波数領域等化ＣＰ部は、ブロックの後端からの一部（末尾の１つもしくは複数のシンボルデータ）の波形と同じ波形（第２コピー）であり、ここではパイロットＣＰ部と同一の波形である。すなわち、周波数領域等化ＣＰ部は、パイロット部の後端一部と同一の波形となる。
【００２６】
パイロットＣＰ部と周波数領域等化ＣＰ部とを同じ波形にすることで、遅延広がりや、帯域制限用フィルタのタップ長に起因する信号広がりの影響を等しく吸収できる。吸収する原理については、後述する。
【００２７】
パイロット部の長さＴＰＬＴは、パイロット部の長さＴＰＬＴとデータ部の長さＴＤＡＴＡとパイロットＣＰ部の長さＴＣＰＰとの合計ＴＦＦＴ（FFTブロック単位の長さ）の2のn乗分の1倍(nは１以上の整数)であるとよい。2のn乗分の1倍にすることによって、フーリエ変換処理や逆フーリエ変換処理を簡単に行うことができる。
【００２８】
なお、基地局ＣＳ１は、各端末ＰＳ１，ＰＳ２，・・・から送信されるフレームの構成を、事前の通信などによってあらかじめ取得しているものとする。すなわち、基地局ＣＳ１は、１フレーム内のどのブロックでデータブロックを受信し、またどのブロックでデータ／パイロット多重ブロックを受信するかを端末ごとに知っているものとする。
【００２９】
続いて、図４を用いて本実施例に係る基地局ＣＳ１の構成について説明する。図４は、基地局ＣＳ１に搭載された受信装置の構成を示すブロック図である。
【００３０】
図４に示す基地局ＣＳ１の受信装置は、アンテナ4001と、バンドパスフィルタ4002と、可変ゲインアンプ (VGA ：Variable Gain Amplifier)4003と、シンセサイザ4004と、ミキサ4005と、ローパスフィルタ4006と、A／D変換器(ADC：Analog-to-Digital Converter)4007と、aポイントFFT部（第１のFFT部：請求項１のフーリエ変換部に相当する。）4008と、fk窓関数部4009-k、と、fk復調部4010-kを有している。なお、ｋは、ｋ＝１，２，・・・，ｎの整数であり、ｎは、基地局ＣＳ１が同時に通信を行える端末数である。
【００３１】
ここで、fk復調部4010-kの詳細を説明する。なお、各fk復調部4010-kの構成は同じであるため、ここではf1復調部4010-1について説明する。
【００３２】
f1復調部4010-1は、スイッチ4011と、ブロック種類判定部4012と、aポイントIFFT部（第１のIFFT部：請求項１の第１の逆フーリエ変換部に相当する。）4013と、パイロット信号取り出し部4014と、bポイントFFT部（第２のFFT部：請求項１の第２のフーリエ変換部）4015と、周波数成分補完部4016と、パイロット周波数成分記憶部4017と、周波数領域等化部4018と、aポイントIFFT部（第２のIFFT部）4019と、復調／復号部4020と、CRC部4021と、上位レイヤ復調部4022と、スイッチ4023と、パイロット除去部4024と、スイッチ4025と、タイミング誤差検出部4026と、データ並び替え部4027を備えている。
【００３３】
続いて、各部の詳細を説明する。
【００３４】
アンテナ4001は、複数の端末ＰＳ１，ＰＳ２，・・・が送信する信号が同時に受信する。バンドパスフィルタ4002は、アンテナ4001が受信した受信信号からシステム帯域外の周波数成分を除去し、可変ゲインアンプ (VGA ：Variable Gain Amplifier)4003は、バンドパスフィルタ4002から入力された受信信号の電力を調整する。
【００３５】
ミキサ4005は、シンセサイザ4004からの信号を用いてVGA4003で電力調整された高周波受信信号をベースバンド信号に変換する。ベースバンド信号に含まれる、ミキサ4005で発生した高調波成分はローパスフィルタ4006で除去される。
【００３６】
A／D変換器(ADC：Analog-to-Digital Converter)4007は、ローパスフィルタ4006を通過したベースバンド信号をデジタル信号に変換する。A／D変換器4007から出力されるデジタル信号は、複数の端末ＰＳ１，ＰＳ２，・・・からの送信信号が時間的に多重したものとなる。
【００３７】
aポイントFFT部（第１のFFT部）4008は、A／D変換器4007から出力されるデジタル信号に対して、ブロック単位（図３に示す区間A。区間Aの長さはＴＦＦＴに等しい）でa(aは2のn乗、nは2以上の整数)ポイントFFT処理を施し、複数の周波数成分の信号を生成する。
【００３８】
複数の周波数成分の信号はf1窓関数部4009-1、f2窓関数部4009-2、・・・に入力され、各窓関数部4009-1、4009-2、・・・ではそれぞれの窓関数を複数の周波数成分の信号にかけることにより各々の端末からの信号成分のみを取り出す。f1窓関数部4009-1、f2窓関数部4009-2、・・・で取り出された信号は、f1復調部4010-1、f2復調部4010-2、・・・に入力される。各復調部では同様の処理が行われる。以下ではf1復調部4010-1に着目して説明する。
【００３９】
f1窓関数部4009-1で取り出された信号は、復調部4010-1における周波数領域等化部4018と、スイッチ4011とに入力される。
【００４０】
スイッチ4011では後述するブロック種類判定部4012からの情報に従い、f1窓関数部 4009-1からの入力信号をaポイントIFFT部（第１のIFFT部）4013に入力するか入力しないかを切り替える。ブロック種類判定部4012からの情報は、入力信号がデータ／パイロット多重ブロックおよびデータブロックがいずれであるかを示している。該情報がデータ／パイロット多重ブロックを示すとき、スイッチ4011は、入力信号をaポイントIFFT部4013に送り、データブロックを示すときは入力信号をaポイントIFFT部4013に送らない（廃棄する）。
【００４１】
aポイントIFFT部4013は、スイッチ4011から入力されたデータ／パイロット多重ブロックの信号に対して、aポイントIFFT処理を施し、時間波形信号（IFFT信号）を生成する。先に説明したaポイントFFT部4008において、図３の区間AでFFT処理が行われているため、aポイントIFFT部4013によって得られる信号の時間波形は、当然ながら区間Aと同じ時間波形を示す。aポイントIFFT部4013によって得られた時間波形信号は、タイミング誤差検出部4026とパイロット信号取り出し部4014とに入力される。
【００４２】
タイミング誤差検出部4026では、入力された時間波形信号と、既知信号であるパイロット信号との相関を取り、FFTタイミング誤差を検出する。FFTタイミング誤差は図３のTeに相当する部分である。この誤差Teを表す信号は、データ並び替え部4027およびパイロット除去部4024に入力される。
【００４３】
タイミング誤差の検出方法に関して、詳しく説明する。送信側では、パイロット信号をCAZAC(Constant Amplitude Zero Auto Correlation)系列符号から生成する。受信側では、送信側と同じCAZAC系列符号をメモリに保持しておき、受信した系列と相関を取る。CAZAC系列は、周波数特性が一様で自己相関が完全であるという特徴を持つため、相関を取ることでタイミング誤差を精度よく検出できる。
【００４４】
なお、タイミング誤差検出方法は、データブロックやデータ/パイロット多重ブロックの通信に先だって同期用信号が通知される場合があるが、その同期用信号を用いてタイミング誤差検出を行ってもよい。
【００４５】
なお、タイミング誤差検出方法は、必ずしも上記方法に限定されるものではなく、CAZAC系列符号を用いることにも限定されない。
【００４６】
パイロット信号取り出し部4014では、図３の区間Aに相当する時間波形信号の後端からパイロット長TPLTの時間分の時間波形信号を取り出す。すなわち区間Bに相当する部分の時間波形信号を取り出す。上述したように、パイロットＣＰ部は、パイロット部の後端一部と同一の波形であるため、パイロット部から見てもサイクリックプレフィックスが付加されている。誤差Teを表す信号がパイロット部のサイクリックプレフィックスとして機能し、これによりマルチパスの影響にもかかわらずパイロット信号を取り出すことができる。取り出した時間波形信号（パイロット信号）はbポイントFFT部（第２のFFT部）4015に入力される。
【００４７】
bポイントFFT部4015では、b(bは2のm乗、mは1以上、m<nを満たす整数)ポイントFFT処理を行って、図３の区間Bのパイロット信号の周波数成分を求める。求められた各周波数成分の信号は、周波数成分補完部4016に入力される。
【００４８】
周波数成分補完部4016では、ｂポイントのパイロット信号の周波数成分から、各ポイント間を補完することによってaポイントのパイロット信号の周波数成分を算出する。ポイント間を補完する例を図５に示す。補完の方法としては、たとえば隣接する周波数成分を線形補完する方法がある。ｂポイントのパイロット信号の周波数成分に基づき周波数成分間のポイントを補完することで、精度よく周波数領域等化を行うことができる。
【００４９】
算出されたaポイントのパイロット信号の周波数成分の信号はパイロット周波数成分記憶部4017に入力され記憶される。パイロット周波数成分記憶部4017に記憶された情報は周波数領域等化部4018において、周波数領域等化に必要なリファレンス情報として使用される。
【００５０】
以上が、データ／パイロット多重ブロックの信号からパイロット信号の周波数成分を取り出すための各部の構成についての説明である。以下、このパイロット信号の周波数成分（リファレンス情報）を用いて、データ／パイロット多重ブロックのデータ部またはデータブロックのデータ部を復調するための各部の構成について説明する。
【００５１】
周波数領域等化部4018には、窓関数部4009-1の出力信号が入力される。この出力信号が入力された周波数領域等化部4018は、パイロット周波数成分記憶部4017からaポイントの周波数成分の信号を読み出し、これをリファレンス情報として用いて、出力信号を周波数領域等化する。周波数領域等化された信号はaポイントIFFT部（第２のIFFT部）4019においてaポイントIFFT処理が施されて、時間波形信号とされる。
【００５２】
スイッチ4023は、ブロック種類判定部4012からの情報に従って、aポイントIFFT部4019から入力された時間波形信号を、データ並び替え部4027およびパイロット除去部4024のいずれに入力するかを切り替える。上述したようにブロック種類判定部4012からの情報は、時間波形信号がデータ／パイロット多重ブロックおよびデータブロックのどちらであるかを示す。該情報がデータ／パイロット多重ブロックを示すときは、スイッチ4023は、aポイントIFFT部4019から入力された時間波形信号をパイロット除去部4024に入力し、データブロックを示すときはデータ並び替え部4027に入力する。
【００５３】
パイロット除去部4024は、データ／パイロット多重ブロックの時間波形信号からパイロット信号を除去し、データ部の信号（データ信号）を取り出す。たとえば、先に説明したaポイントFFT部4008において図３の区間AでFFT処理が行われた場合、タイミング誤差検出部4026から与えられるFFTタイミング誤差Teに基づいて、区間Ｂに含まれる信号（パイロット信号）を除去し、区間Ｃの信号からデータ部の信号（データ信号）のみを取り出す。区間Ｃに含まれる、パイロットＣＰ部の信号や周波数領域等化CP部の信号はたとえば廃棄する。
【００５４】
一方、データ並び替え部4027は、データブロックの時間波形信号において、周波数領域等化CP部の一部(図３の並び替えデータに相当する部分)をデータ部の最後尾に移動することで、送信データ系列と同じデータ系列を得る。図１２は、データブロックを区間AのタイミングでFFT処理した場合を示している。この場合は図１２の並び替えデータをデータ部の最後尾に移動することで、送信データ系列と同じデータ系列を得る。
【００５５】
スイッチ4025は、ブロック種類判定部4012からの情報に従って、データ並び替え部4027およびパイロット除去部4024のいずれの出力信号を復調／復号部4020に入力する。ブロック種類判定部4012からの情報がデータブロックを示すときは、データ並び替え部4027の出力信号を復調／復号部4020に入力し、データ／パイロット多重ブロックを示すときはパイロット除去部4024の出力信号を復調／復号部4020に入力する。
【００５６】
復調／復号部4020では、データ並び替え部4027またはパイロット除去部4024から入力された信号を復調および復号する。復調および復号された信号はCRC部4021においてCRC(Cyclic Redundancy Check)処理が施されて上位レイヤ復調部4022に入力される。
【００５７】
上位レイヤ復調部4022では、MAC(Media Access Control)レイヤ処理などを行う。また、上位レイヤ復調部4022は、ブロック種類判定部4012に対し現在受信しているブロックがデータブロックであるかあるいはデータ／パイロット多重ブロックであるかを通知する。
【００５８】
ブロック種類判定部4012は上位レイヤ復調部4022からの通知に基づいて、現在受信しているブロックがデータブロックおよびデータ／パイロット多重ブロックのどちらであるかを示す情報を生成し、生成した情報をスイッチ4011、4024、4025に送る。
【００５９】
図８は、本発明の一実施の形態に係る受信方法を説明するフローチャートである。この受信方法は、基地局に搭載された受信装置において実施される。ここでは、A／D変換器4007以降の処理について説明する。
【００６０】
まず、aポイントFFT部4008にて、AD変換後のベースバンド信号をaポイントFFT処理する（ステップＳ１１）。
【００６１】
各fk窓関数部4009-kにて、ａポイントＦＦＴ処理により得られた信号から窓関数を用いて所望の周波数成分のみを取り出し、取り出した周波数成分を、対応するfk復調部4010-kに出力する（ステップＳ１２）。以下、f1復調部4010-1における処理について説明する。
【００６２】
f1復調部4010-1に入力された周波数成分は、スイッチ4011と周波数領域等化部4018それぞれに入力される。スイッチ4011に入力された周波数成分は、現在のブロックがデータ／パイロット多重ブロックであるとき（ステップＳ１３のＹＥＳ）、aポイントIFFT部4013に入力され、aポイントIFFT処理を施されて時間波形信号（ＩＦＦＴ信号）に変換される（ステップＳ１４）。
【００６３】
続いて、aポイントIFFT部4013にて変換された時間波形信号は、タイミング誤差検出部4026及びパイロット信号取り出し部4014に入力される。パイロット信号取り出し部4014は、入力された時間波形信号から時間領域のパイロット信号を取り出す（ステップＳ１５）。タイミング誤差検出部4026では、入力された時間波形信号と、既知信号であるパイロット信号との相関を取り、FFTタイミング誤差を検出する。FFTタイミング誤差は図３のTeに相当する部分である。この誤差Teを表す信号は、データ並び替え部4027およびパイロット除去部4024に入力され、パイロット信号の除去等に使用される。
【００６４】
次に、パイロット信号取り出し部4014にて取り出したパイロット信号は、bポイントFFT部4015にてbポイントFFT処理してパイロット信号の周波数成分の情報（ｂポイントの周波数成分の情報）に変換される（ステップＳ１６）。
【００６５】
変換されたパイロット信号の周波数成分の情報は、周波数成分補完部4016に入力される。周波数成分補完部4016は、入力されたbポイントのパイロット信号の周波数成分の情報からポイント間を補完してaポイントのパイロット信号の周波数成分の情報を得る（周波数成分補完処理）（ステップＳ１７）。
【００６６】
周波数成分補完部4016にて取得したaポイントの周波数成分の情報を、周波数領域等化を行う際のリファレンス情報として、パイロット周波数成分記憶部4017に記憶する（ステップＳ１８）。
【００６７】
以降の各ステップは現在のブロックがデータ／パイロット多重ブロックおよびデータブロックのいずれの場合も行う。
【００６８】
周波数領域等化部4018にて、ステップＳ１２で窓関数を用いて取り出された信号を、リファレンス情報に基づいて周波数等化する（ステップＳ１９）。本ステップは、現在のブロックがデータブロックのとき（ステップＳ１３のＮＯ）も行う。
【００６９】
周波数領域等化により得られた信号を、aポイントIFFT部4019にてaポイントIFFT処理して時間領域の信号（ＩＦＦＴ信号）を得る（ステップＳ２０）。
【００７０】
次に、現在のブロックがフレーム内の最終ブロック（スロット）か否かを判定し（ステップＳ２１）、最終ブロックではない場合（ステップＳ２２のＮＯ）、ステップＳ１１に戻りaポイントFFT処理から繰り返す。この判定は、aポイントIFFT部4019の情報を得て上位レイヤ復調部4022で行われる。
【００７１】
最終ブロックの場合（ステップＳ２２のＹＥＳ）、データ／パイロット多重ブロックの時間波形信号は、パイロット除去部4024に入力され、パイロット信号が除去され、データ部の信号（データ信号）が取り出される。一方、データブロックの時間波形信号は、データ並び替え部4027に入力される。データ並び替え部4027は、データブロックの時間波形信号において、周波数領域等化CP部の一部をデータ部の最後尾に移動することで、送信データ系列と同じデータ系列を生成する。パイロット除去部4024及びデータ並び替え部4027の出力信号は、復調／復号部4020にて復調及び復号されてCRC部4021に入力される。CRC部4021では、CRC処理を施すことによって復調及び復号された信号が誤っているか否かの確認をする（ステップＳ２３）。
【００７２】
CRC部4021にてＣＲＣ処理を施された信号は、上位レイヤ復調部4022に入力されて、上位レイヤ復調処理が施される。（ステップＳ２４）。
【００７３】
以上のように本実施形態によれば、１つのブロックに周波数等化CP部だけでなくパイロットCP部も含めるようにしたことにより該１つのブロックにデータ部とパイロット部とを多重させても、1つのブロックからパイロット信号だけを取り出すことが可能になる。1つのブロック内にパイロット信号とデータ信号との両方を含めることで、伝送路推定に必要な情報の取り出しと、データ受信との両方が可能になり、1つのブロック全てをパイロット信号にする場合と比較してスループットを向上させることができる。
【００７４】
ここでは、図４の受信装置が、図３に示したフォーマットのデータ／パイロット多重ブロックを受信する例を示したが、図１０に示すフォーマットのデータ／パイロット多重ブロックも同様に受信できる。
【００７５】
図１０に示すデータ／パイロット多重ブロックは、パイロット部の先端からの一部の波形と同じ波形（第１コピー）がパイロットＣＰ部としてパイロット部の後端に付加され、データ部がパイロットCP部の後端に付加され、パイロット部とパイロットCP部とデータ部と区間の先端からの一部の波形と同じ波形（第２コピー）がデータ部の後端に周波数領域等化ＣＰ部として付加される。ここではパイロットCP部と周波数領域等化CP部は同じである。このフォーマットをもつデータ／パイロット多重ブロックの受信動作は図３に示したフォーマットの受信動作の説明から自明であるため詳細な説明を省略する。
【００７６】
さらに、図４の受信装置は、図９（Ａ）〜図９（Ｃ）に示す他のフォーマットのデータ／パイロット多重ブロックも受信可能である。
【００７７】
図９（Ａ）のデータ／パイロット多重ブロックは、パイロット部の後端からの一部の波形と同じ波形がパイロットＣＰ部としてパイロット部の先端に付加され、当該パイロットＣＰ部の先端に第１のデータ部が付加され、パイロット部の後端に第２のデータ部が付加され、第１のデータ部とパイロットCP部とパイロット部と第２データ部とからなる区間の後端からの一部の波形と同じ波形（ここでは第２のデータ部の後端からの一部の波形と同じ波形）が第１のデータ部の先端に周波数領域等化ＣＰ部として付加されている。パイロット部とパイロットCP部とからなる区間は第１の区間に相当し、第１データ部とパイロットＣＰ部とパイロット部と第２データ部とからなる区間は第２の区間に相当し、図９（Ａ）に示す区間全体は第３の区間に相当する。図９（Ａ）のデータ／パイロット多重ブロックを受信する場合、パイロット信号取り出し部4014は、ａポイントＩＦＦＴ部4013によって得られた時間波形信号（ＩＦＦＴ信号）において、パイロットＣＰ部およびパイロット部に対応する部分の信号から、パイロット部の長さの区間の信号をパイロット信号として取り出せばよい。たとえばパイロットＣＰ部の先端からパイロット部の長さの区間の信号を取り出す。そして、パイロット除去部4024は、FFTタイミング誤差Te（図３参照）に含まれる信号を第２データ部の後に配置することで、送信データ系列と同じ系列を得ることができる。なお、図１１（Ａ）に示すようにパイロット部の先端からの一部の波形と同じ波形をパイロット部の後端にパイロットＣＰ部として付加し、第１データ部とパイロット部とパイロットCP部と第２データ部とからなる区間の先端からの一部の波形と同じ波形（ここでは第１データ部の先端からの一部の波形と同じ波形）を第２データ部の後端に周波数領域等化ＣＰ部として付加してもよいことは自明である。
【００７８】
図９（Ｂ）のデータ／パイロット多重ブロックは、パイロット部の後端からの一部の波形と同じ波形がパイロットＣＰ部としてパイロット部の先端に付加され、パイロット部の後端にデータ部が付加され、パイロットCP部とパイロット部とデータ部とからなる区間の後端からの一部の波形と同じ波形（ここではデータ部の後端からの一部の波形と同じ波形）がパイロットＣＰ部の先端に周波数領域等化ＣＰ部として付加されている。パイロット部とパイロットCP部とからなる区間は第１の区間に相当し、パイロットＣＰ部とパイロット部とデータ部とからなる区間は第２の区間に相当し、図９（Ｂ）に示す区間全体は第３の区間に相当する。図９（Ｂ）のデータ／パイロット多重ブロックを受信する場合も、図９（Ａ）と同様に、パイロット信号取り出し部4014は、ａポイントＩＦＦＴ部4013によって得られた時間波形信号（ＩＦＦＴ信号）において、パイロットＣＰ部およびパイロット部に対応する部分の信号から、パイロット部の長さの区間の信号をパイロット信号として取り出せばよい。たとえばパイロットＣＰ部の先端からパイロット部の長さの区間の信号を取り出せばよい。そして、パイロット除去部4024は、FFTタイミング誤差Te（図３参照）に含まれる信号をデータ部の後に配置することで、送信データ系列と同じ系列を得ることができる。なお、図１１（Ｂ）に示すようにパイロット部の先端からの一部の波形と同じ波形をパイロット部の後端にパイロットＣＰ部として付加し、データ部とパイロット部とパイロットCP部とからなる区間の先端からの一部の波形と同じ波形（データ部の先端からの一部の波形と同じ波形）をパイロットCP部の後端に周波数領域等化ＣＰ部として付加してもよいことは自明である。
【００７９】
図９（Ｃ）のデータ／パイロット多重ブロックは、パイロット部の後端からの一部の波形と同じ波形がパイロットＣＰ部としてデータ部の後端に付加され、パイロット部の後端とパイロットＣＰ部の先端にデータ部が付加され、パイロット部とデータ部とパイロットCP部とからなる区間の後端からの一部の波形と同じ波形（ここではパイロット部の後端からの一部の波形と同じ波形）がパイロット部の先端に周波数領域等化ＣＰ部として付加されている。本例では周波数領域等化ＣＰ部とパイロットＣＰ部とは同じとしているが同じでなくてもよい。パイロット部とパイロットCP部とからなる区間は第１の区間に相当し、データ部とパイロットＣＰ部とパイロット部とからなる区間は第２の区間に相当し、図９（Ｃ）に示す区間全体は第３の区間に相当する。図９（Ｃ）のデータ／パイロット多重ブロックを受信する場合も、図９（Ａ）および図９（Ｂ）と同様に、パイロット信号取り出し部4014は、ａポイントＩＦＦＴ部4013によって得られた時間波形信号（ＩＦＦＴ信号）において、パイロットＣＰ部およびパイロット部に対応する部分の信号から、パイロット部の長さの区間の信号をパイロット信号として取り出せばよい。たとえばパイロットＣＰ部の先端からパイロット部の長さの区間の信号を取り出せばよい。取り出しを行う前に、FFTタイミング誤差Te（図３参照）に含まれる信号をパイロット部の後に配置してもよい。なお、図１１（Ｃ）に示すようにパイロット部の先端からの一部の波形と同じ波形をデータ部の先端にパイロットＣＰ部として付加し、データ部をパイロットCP部の後端とパイロット部の先端に付加し、パイロットCP部とデータ部とパイロット部からなる区間の先端からの一部の波形と同じ波形(パイロットCP部と同じ波形)をパイロット部の後端に周波数領域等化ＣＰ部として付加してもよいことは自明である。
【００８０】
（第２の実施形態）
次に、本発明の第２の実施形態に係る移動体通信システムについて説明する。第１の実施形態では、図２に示すフレームフォーマットで送信される信号を受信する基地局ＣＳ１の構成について説明したが、ここでは、図２に示すフォーマットで信号を送信する端末ＰＳ１の構成について説明する。
【００８１】
図６は、第２の実施形態に係る端末ＰＳ１の送信装置の構成を示すブロック図である。
【００８２】
上位レイヤ変調部6001は送信すべきデータ（バイナリデータ）をCRC付加部6002に入力し、CRC付加部6002はバイナリデータに対しCRCを付加する。また上位レイヤ変調部6001は、受信装置に送信すべきブロックがデータブロックであるかデータ／パイロット多重ブロックであるかをブロック種類判定部6004に通知する。
【００８３】
ブロック種類判定部6004は上位レイヤ変調部6001からの通知に基づいて、受信装置に送信するブロックがデータブロックおよびデータ／パイロット多重ブロックのどちらであるかを示す情報を生成し、生成した情報をスイッチ6005に送る。
【００８４】
CRC付加部6002においてCRCが付加されたバイナリデータは符号化／変調部6003において符号化および変調が施され、変調信号がスイッチ6005に入力される。
【００８５】
スイッチ6005は、符号化／変調部6003から入力された変調信号を、ブロック種類判定部6004からの情報に従い、パイロット／2CP付加部6007およびCP付加部6008のいずれか一方に出力する。ブロック種類判定部6004からの情報がデータ／パイロット多重ブロックを示すときは変調信号をパイロット／2CP付加部6007に出力し、データブロックを示すときはCP付加部6008に出力する。
【００８６】
波形記憶部6006は、パイロット部に含まれるパイロット信号の波形と、パイロット信号の波形の後端からの一部とを記憶している。
【００８７】
パイロット／2CP付加部6007は、スイッチ6005から入力された信号（データ信号）と波形記憶部6006とを用いてデータ／パイロット多重ブロックを生成する。
【００８８】
図３に示したフォーマットのデータ／パイロット多重ブロックの場合、スイッチ6005から入力されたデータ信号（データ部）の先端に対して波形記憶部6006に記憶されたパイロット信号の波形の後端からの一部を周波数等化CP部として付加する。そして波形記憶部6006に記憶されたパイロット信号の波形の後端からの一部をパイロットCP部としてパイロット信号（パイロット部）の先端に付加するとともに、該一部をデータ部の末端に付加する。これにより少ない記憶容量で効率よく送信信号を生成することができる。
【００８９】
図９（Ｃ）に示したフォーマットのデータ／パイロット多重ブロックの場合は、パイロット部の先端およびデータ信号（データ部）の後端に上記パイロット信号の波形の後端からの一部をそれぞれ周波数領域等化ＣＰ部およびパイロットＣＰ部として付加し、さらに上記パイロット部の後端にデータ部を付加する。
【００９０】
同様に、図９（A）、図９（B）、図１０、図１１（A）、図１１（B）、図１１（C）に示したフォーマットのデータ／パイロット多重ブロックの場合も、波形記憶部6006にパイロット信号の波形の先端からの一部を記憶させておき、これを用いてデータ／パイロット多重ブロックを生成できる。
【００９１】
パイロット／2CP付加部6007において生成されたデータ／パイロット多重ブロックの信号はオーバーサンプリング部6009に出力される。
【００９２】
CP付加部6008は、スイッチ6005から入力された信号（データ信号）の後端からの一部の波形と同じ波形をデータ信号（データ部）の先端に周波数領域等化ＣＰ部として付加する。生成された信号はオーバーサンプリング部6009に出力される。
【００９３】
オーバーサンプリング部6009は、パイロット／２CP付加部6007またはCP付加部6008から入力された信号のサンプル間に一定のサンプル数だけ0を挿入して帯域制限用フィルタ6010に出力する。
【００９４】
帯域制限用フィルタ6010は、オーバーサンプリング6009から出力された信号に対して、隣接チャネルへの干渉を低減するためのフィルタリング処理を行い、フィルタリング処理された信号（デジタル信号）をDA変換器（DAC）6011に出力する。
【００９５】
DA変換器（DAC）6011は、フィルタリング処理されたデジタル信号をアナログ信号に変換する。
【００９６】
ミキサ6012はシンセサイザ6013からの信号とDA変換器（DAC）6011から出力された信号とをミキシングして無線周波数 (RF：Radio Frequency)信号を生成する。
【００９７】
無線周波数信号はバンドパスフィルタ6014において帯域外成分が除去された後、プリアンプ（PA：preamplifier）6015で電力増幅されて、アンテナ6016から送信される。
【００９８】
（第３の実施形態）
続いて、本発明の第３の実施形態に係る移動体通信システムについて説明する。ここでは、第２の実施形態と同様に、図２に示すフォーマットで信号を送信する端末ＰＳ１の構成について説明する。
【００９９】
図７は、第３の実施形態に係る送信装置の構成を示すブロック図である。
【０１００】
図６に示した第２の実施形態との大きな違いは、図６のパイロット／２CP付加部6007に代えて、パイロット／１CP付加部7007が設けられた点にある。以下、スイッチ7005、パイロット／１CP付加部7007、波形記憶部7006およびCP付加部7008について説明し、それ以外の要素7001〜7005、7009〜7016については第２の実施形態と同一であるため重複する説明を省略する。
【０１０１】
スイッチ7005では、符号化／変調部7003から入力された変調信号をブロック種類判定部7004からの情報に従って、パイロット／1CP付加部7007およびCP付加部7008のいずれか一方に出力する。データ／パイロットブロックはパイロット／1CP付加部7007に出力され、データブロックはCP付加部7008に出力される。
【０１０２】
波形記憶部7006は、第２の実施形態と同様に、パイロット信号の波形と、パイロット信号の波形の後端からの一部とを記憶している。
【０１０３】
パイロット／1CP付加部7007は、図３に示したフォーマットのデータ／パイロット多重ブロックの場合、スイッチ7005から入力されたデータ信号（データ部）の後端に対して波形記憶部7006に記憶されたパイロット信号の後端からの一部をパイロットCP部として付加し、波形記憶部7006に記憶された、パイロット信号（パイロット部）をパイロットCP部の後端に付加する。
【０１０４】
図９（Ａ）に示したフォーマットのデータ／パイロット多重ブロックの場合、パイロット信号の後端からの一部をパイロット信号（パイロット部）の先端に付加し、これをスイッチ7005から入力される第１データ部の信号と第２データ部の信号との間に挿入する。
【０１０５】
図９（Ｂ）に示したフォーマットのデータ／パイロット多重ブロックの場合、パイロット信号の後端からの一部をパイロット信号（パイロット部）の先端に付加し、パイロット部の後端にスイッチ7005から入力されるデータ信号（データ部）を付加する。
【０１０６】
図９（Ｃ）に示したフォーマットのデータ／パイロット多重ブロックの場合、パイロット信号の後端からの一部をデータ信号の後端にパイロットＣＰ部として付加し、パイロット部の後端およびパイロットＣＰ部の先端にスイッチ7005から入力されるデータ信号（データ部）を付加する。
【０１０７】
図１０、図１１（Ａ）〜１１（Ｃ）に示したフォーマットの場合は、波形記憶部7006にパイロット信号（パイロット部）の波形の先端からの一部を記憶させておき、これを用いて同様にして信号を生成すればよい。
【０１０８】
こうしてパイロット／1CP付加部7007において得られた信号はCP付加部7008に出力される。
【０１０９】
CP付加部7008では、スイッチ7005またはパイロット／1CP付加部7007から入力された信号の一端に、該信号の末端からの一部をコピーして、周波数領域等化ＣＰ部として付加する。これによりデータブロックまたはデータ／パイロット多重ブロックの送信信号が得られる。得られた送信信号はオーバーサンプリング7009に出力される。
【０１１０】
なお、ここでは、基地局ＣＳ１の受信装置及び端末ＰＳ１の送信装置について説明したが、基地局ＣＳ１が図２のフレームフォーマットで信号を送信し、端末ＰＳ１が該信号を受信してもよい。
【０１１１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。たとえば、実施形態に示される全構成要素から幾つかの構成要素を削除してもよい。さらに、異なる実施形態にわたる構成要素を適宜組み合わせてもよい。
【図面の簡単な説明】
【０１１２】
【図１】本発明の実施形態にかかる移動体通信システムの構成を示す図。
【図２】フレーム構成およびブロック構成を示す図。
【図３】データ／パイロット多重ブロックの詳細に説明する図。
【図４】第１の実施形態にかかる受信装置の構成を示すブロック図。
【図５】周波数成分の補完を説明する図。
【図６】第２の実施形態にかかる送信装置の構成を示すブロック図。
【図７】第３の実施形態にかかる送信装置の構成を示すブロック図。
【図８】本発明の実施形態にかかる受信方法を説明するフローチャート。
【図９】データ／パイロット多重ブロックの他のフォーマット例を示す図。
【図１０】データ／パイロット多重ブロックの他のフォーマット例を示す図。
【図１１】データ／パイロット多重ブロックの他のフォーマット例を示す図。
【図１２】データブロックをFFT処理する例を示す図。
【符号の説明】
【０１１３】
4001：アンテナ
4002：バンドパスフィルタ
4003：ＶＧＡ部
4004：シンセサイザ
4005：ミキサ
4006：ローパスフィルタ
4007：ＡＤＣ部
4008：ａポイントＦＦＴ部
4009-1、4009-2：窓関数部
4010-1、4010-2：復調部
4011：スイッチ
4012：ブロック種類判定部
4013：ａポイントＩＦＦＴ部
4014：パイロット信号取り出し部
4015：ｂポイントＦＦＴ部
4016：周波数成分補完部
4017：パイロット周波数成分記憶部
4018：周波数領域等化部
4019：ａポイントＩＦＦＴ部
4020：復調／復号部
4023：スイッチ
4024：パイロット除去部
4025：スイッチ
4026：タイミング誤差検出部
4027：データ並び替え部
6001,7001：上位レイヤ変調部
6002,7002：ＣＲＣ付加部
6003,7003：符号化／変調部
6004,7004：ブロック種類判定部
6005,7005：スイッチ
6006,7006：波形記憶部
6007：パイロット／２ＣＰ付加部
6008,7008：ＣＰ付加部
6009,7009：オーバーサンプリング部
6010,7010：帯域制限用フィルタ
6011,7011：ＤＡＣ
6012,7012：ミキサ
6013,7012：シンセサイザ
6014,7014：バンドパスフィルタ
6015,7015：プリアンプ
6016,7016：アンテナ
7007：パイロット／１ＣＰ付加部
【図１】
2008245064.tif 000003
【図２】
2008245064.tif 000004
【図３】
2008245064.tif 000005
【図４】
2008245064.tif 000006
【図５】
2008245064.tif 000007
【図６】
2008245064.tif 000008
【図７】
2008245064.tif 000009
【図８】
2008245064.tif 000010
【図９】
2008245064.tif 000011
【図１０】
2008245064.tif 000012
【図１１】
2008245064.tif 000013
【図１２】
2008245064.tif 000014